(57)【要約】【課題】本体の吸気口をふさぐことなく本体を把持することができる構造を提供する【解決手段】本体部と、本体部に対して回動可能なグリップ部を備え、本体部のグリップ側側面に吸気口を設ける撮像機器において、前記グリップ部は前記グリップ部が前記吸気口開口前方を隠すことがない第１の位置と、前記グリップ部が前記吸気口開口前方を隠す第２の位置とを回動可能であり、前記第２の位置では前記吸気口開口面と前記グリップ部吸気口側面とが前記吸気口開口の高さ以上離れているようにする。【選択図】図３
2015171122.tif 000002
【特許請求の範囲】
【請求項１】
本体部と、
本体部に対して回動可能なグリップ部を備え、
本体部のグリップ側側面に吸気口を設ける撮像機器において、
前記グリップ部は前記グリップ部が前記吸気口開口前方を隠すことがない第１の位置と、
前記グリップ部が前記吸気口開口前方を隠す第２の位置とを回動可能であり、
前記第２の位置では前記吸気口開口面と前記グリップ部吸気口側面とが
前記吸気口開口の高さ以上離れている
ことを特徴とする撮像機器。
【請求項２】
前記グリップが前記第１の位置において、前記グリップ部の前方が徐々に前記本体部外装カバーより遠ざかっており、前記グリップ部の回転軸が吸気口の上方にあり、前記グリップが前記第２の位置において、前記グリップ部前方が前記吸気口開口前方を隠すことを特徴とする請求項１に記載の撮像機器。
【請求項３】
前記本体部の底面にも吸気口を備えることを特徴とする請求項１又は請求項２に記載の撮像機器。
【発明の詳細な説明】
【技術分野】
【０００１】
本発明は、吸気口を備える撮像機器に関するものである。
【背景技術】
【０００２】
小型化と高機能化（消費電力の増大）した撮像機器を市場から要望されるに伴い、 撮像機器の外装温度の高温化、内部電気素子の保証温度を超えることによる熱暴走などが近年問題となっている。そのためファンを用いた強制空冷構造を適用する撮像機器があった（特許文献１）。
【先行技術文献】
【特許文献】
【０００３】
【特許文献１】特開２００６-２９５８５５号公報
【発明の概要】
【発明が解決しようとする課題】
【０００４】
しかしながら、先行技術の撮像機器は使用用途が固定型であり、外形が箱型形状をしているため吸気口の配置は容易であった。しかし使用用途が可搬型の撮像機器では本体に把持部を設ける必要があり、本体が小型な撮像機器を把持する際に、手で吸気口をふさいでしまうことがあった。そのため先行技術のような箱型形状の撮像機器とは異なり、吸気口の配置が困難であった。
【課題を解決するための手段】
【０００５】
上記目的を達成するため、請求項１の撮像機器は、
本体部と、
本体部に対して回動可能なグリップ部を備え、
本体部のグリップ側側面に吸気口を設ける撮像機器において、
前記グリップ部は前記グリップ部が前記吸気口開口前方を隠すことがない第１の位置と、
前記グリップ部が前記吸気口開口前方を隠す第２の位置とを回動可能であり、
前記第２の位置では前記吸気口開口面と前記グリップ部吸気口側面とが
前記吸気口開口の高さ以上離れている
ことを特徴としている撮像機器。
【０００６】
請求項２の撮像機器は、請求項１に記載の撮像機器において、
前記グリップが前記第１の位置において、
前記グリップ部の前方が徐々に前記本体部外装カバーより遠ざかっており、
前記グリップ部の回転軸が吸気口の上方にあり、
前記グリップが前記第２の位置において、前記グリップ部前方が前記吸気口開口前方を隠す
ことを特徴としている。
【０００７】
請求項３の撮像機器は、請求項１および２に記載の撮像機器において、
前記本体部の底面にも吸気口を備える
ことを特徴としている。
【発明の効果】
【０００８】
本発明によれば、撮像機器の吸気口ふさぐことなく、撮像機器を把持することができ、内部電気部品の温度上昇を防ぎ、熱暴走を防ぐことができる。
【図面の簡単な説明】
【０００９】
【図１】撮像機器の構成を示すブロック図
【図２】撮像機器の後方左上側斜視図
【図３】撮像機器の後方右下側斜視図
【図４】撮像機器の上面図
【図５】撮像機器のグリップ部をローアングル撮影位置にしたときの右側面図
【図６】撮像機器のグリップ部をローアングル撮影位置にしたときの正面図
【発明を実施するための形態】
【００１０】
以下、本発明の第１の実施形態について図面を参照しながら説明する。
【００１１】
図１は撮像機器の構成を示すブロック図である。撮像機器本体１００は、図１に示すように、フォーカス及びズーム等の光学制御系を含む光学レンズ群及び絞りからなるレンズユニット部１０１、CCDなどの撮像素子を含む撮像部１０２、カメラ信号処理部１０３、圧縮伸張処理部１０４、表示部１０５、記録再生処理部１０６、カード制御部１０７、グリップ回転検出部１０８、マイクロフォン１０９、音声信号処理部１１０、メモリ１１１、メモリ制御部１１２、CPU１１３、操作部１１４、デジタルI/F１１５、入出力部１１６、電源制御部１１７、ファン制御部１２４を備えている。また各機能ブロックはそれぞれデータバス１１８を介して互いにデータ通信可能に接続されている。
【００１２】
このような撮像機器本体１００において、メモリ１１１は、プログラム記憶領域とデータ作業領域を有し、データバス１１８を介して各機能ブロックでタイム・シェアリングして使用され、メモリ制御部１１２により制御及び管理されている。
【００１３】
CPU１１３は所定のプログラムを実行すること等により、撮像機器本体１００全体を統括制御する中央演算処理回路である。
【００１４】
操作部１１４はユーザーからのキー操作などに基づいて、CPU１１３に対して動作指示する機能を有する。そのうち後述の１１４aはレンズの画角をワイド側又はテレ側に変化させるズーム操作を行うためのズームツマミ、１１４bは動画撮影ボタンであり押圧動作することで動画撮影のスタート/ストップを行うことが可能である。後述のようにズームツマミ１１４aと動画撮影ボタン１１４bは、撮像機器本体１００に対して回動可能な回転グリップ部１３０に配置されている。
【００１５】
デジタルI/F１１５は、例えばHDMI(登録商標)(High-Definition Multimedia Interface)やUSB(Universal Serial Bus)等の規格に従い信号を授受する。
【００１６】
メモリーカード１１９は、SDカードやコンパクトフラッシュ(登録商標)等の脱着式のフラッシュメモリーであり、撮影データ及び音声データが記録される。
【００１７】
電源制御部１１７は、バッテリ検出回路、DC-DCコンバータ、通電するブロックを切り替えるスイッチ回路等により構成されており、電池の装着の有無、電池の種類、電池残量の検出を行う。バッテリ１２３は、リチウムイオン電池等であり、撮像機器本体１００に電源を供給する。
【００１８】
次に、本発明の第１の実施形態における撮像機器の撮影動作及び記録動作、再生動作について説明する。
【００１９】
例えば、操作部１１４により撮影動作及び記録動作が指示された場合、被写体からの光は、レンズ１０１により所定の明るさ、画角、及びフォーカス等が制御された光学信号となって撮像部１０２に対して入力される。撮像部１０２は入力光学信号を電気信号に変換し、カメラ信号処理部１０３に出力する。カメラ信号処理部１０３はこの電気信号をデジタル画像信号に変換する。そして、この画像信号に対して、色分離、階調補正、及びホワイトバランス調整などの信号処理を施した後出力する。音声信号処理部１１０は、マイクロフォン１０９より入力された音声信号を所定レベルにゲインコントロールしてデジタル化することで、音声データとして出力する。
【００２０】
圧縮伸張処理部１０４は、カメラ信号処理部１０３から出力された画像データ及び音声信号処理部１１０から出力された音声データを所定の圧縮符号化方式により圧縮符号化する。表示部１０５は、後述する図２及び図３に示す液晶表示部１０５aとハンドル部１２６の後部に配置されるEVF１０５bにより構成され、圧縮伸張処理部１０４で圧縮符号化対象の撮影データが画像信号化され画像として表示する。また、表示部１０５は、必要に応じて撮像機器本体１００の動作状況をオンスクリーン・ディスプレイ情報として表示する。
【００２１】
記録再生処理部１０６は、圧縮伸張処理部１０４で得られた圧縮符号化後のデータに対して、エラー訂正符号化処理や変調処理等を施し、カード制御部１０７により記録媒体であるメモリーカード１１９に記録する。
【００２２】
一方、操作部１１４により再生動作が指示された場合、記録再生処理部１０６は、メモリーカード１１９から読み出したデータから元のデジタルデータを検出し、エラー訂正及び復調等の処理を施す。また、PLL（Phase Locked Loop）回路によりこの再生データに同期したクロックを生成する。
【００２３】
圧縮伸張処理部１０４は、記録再生処理部１０６より出力されたデータに対して、所定の圧縮符号化方式に対応した伸張処理を施し、圧縮符号化前の撮影データ及び音声データを取得する。表示部１０５は、圧縮伸張処理部１０４で得られた再生データを表示する。
【００２４】
また操作部１１４によりデジタルI/F１１５からの入力データを記録する指示があった場合、CPU１１３はデジタルI/F１１５により、外部装置１２１からの画像データあるいは音声データをデジタル信号の状態で入力し、記録再生処理部１０６に送る。この際、外部装置１２１からの画像データ、音声データは既に符号化されているものとし、記録再生処理部１０６は前述のようにこの入力データに対して記録に必要な処理を施して記録媒体であるメモリーカード１１９に記録する。
【００２５】
また操作部１１４により、入出力部１１６からの入力信号を記録する指示があった場合、CPU１１３は入出力部１１６を制御し、外部装置１２２から出力された画像、音声信号を入力する。入出力部１１６は外部装置１２２から出力された画像、音声信号をデジタルデータに変換してメモリ１１１に出力する。CPU１１３はこのメモリ１１１に記憶された画像、音声データを圧縮伸張処理部１０４に出力して圧縮符号化し、記録再生処理部１０６に送る。記録再生処理部１０６は前述の様にこの符号化されたデータに対して記録に必要な処理を施して記録媒体であるメモリーカード１１９記録にする。
【００２６】
ファン１２５はファン制御部１２４により PWM（ pulse width modulation）制御で、回転数を制御されており、CPU１１３やその他の内部電気素子の強制空冷を行っている。
【００２７】
次に発明の第１の実施例における撮像機器本体１００の外観構成及び動作状態について説明する。図２、３、４は撮像機器本体１００の後方左上側斜視図、後方右下側斜視図、上面図であり、グリップ部１３０は回転ヒンジ中心軸１３２を中心として本体部に対して回転可能に取り付けられている。
【００２８】
撮像機器本体１００の外装面には撮像装置本体１００内部に備えられている不図示のファン１２５の駆動によって外部の空気を吸入する吸気口と、ファン１２５の駆動によって生じた気流を排出する不図示の排気口を備える。図３に示されるように吸気口は撮像機器本体１００のグリップ側側面の側面吸気口１４０と撮像機器本体の底面に配置されている底面吸気口１４１の２か所に配置されている。
【００２９】
図３に示すようにグリップ部１３０を回転させずに撮影する場合は、撮像機器右側から見て前記グリップ部が前記吸気口の開口を隠すことがなく、空気は側面吸気口１４０と底面吸気口１４１の２か所から吸気される。撮像機器本体１００を机の上に置いた場合や三脚に取り付けた場合は、底面吸気口１４１から本体内部に吸気することはできなくなるが、側面吸気口１４０からの吸気されるので、内部電気部品の温度上昇を防ぐことができる。
【００３０】
図４に示されるようにグリップ部１３０の前方と撮像機器本体１００のカバーとの距離L１が十分確保され配置されており、またグリップ部１３０は回転ヒンジ中心軸１３２から遠ざかるに従って、撮像機器本体１００のカバーとの隙間が大きくなっている。
【００３１】
図５はグリップ部１３０をローアングル撮影位置に回転させた図である。この時、動画撮影ボタン１１４bは撮像機器本体１００に対して上面側に移動することで、撮影者がローアングル撮影状態の姿勢になった際に押圧しやすくなる。この時、撮像機器右側から見てグリップ部１３０が側面吸気口１４０の開口を隠してしまう。
【００３２】
図６は図５のローアングル撮影時の撮像機器本体１００をレンズ前方から見た図である。図６に示されるようにグリップ部１３０をローアングル撮影時位置にしたときでも側面吸気口１４０と撮像機器本体１００のカバーとの距離L１が十分確保されており、Ｌ１は側面吸気口開口高さＬ２より大きい。そのため空気は側面吸気口１４０から十分な吸気が可能である。
【００３３】
このように撮像機器本体１００を把持するためにグリップ部１３０をどのような位置に回転させたときでも側面吸気口１４０と底面吸気口１４１からの吸気は可能であり、内部電気部品の温度上昇を防ぐことができる。また撮像機器を机の上や三脚に取り付けた場合、底面吸気口１４１から本体内部に吸気することはできなくなるが、側面吸気口１４０から空気は吸気され、内部電気部品の温度上昇を防ぐことができる。
【００３４】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【符号の説明】
【００３５】
１００‥‥撮像機器本体
１００ａ‥‥撮像機器本体上部
１０１‥‥レンズユニット部
１０２‥‥撮像部
１０３‥‥カメラ信号処理部
１０４‥‥圧縮伸張処理部
１０５‥‥表示部
１０６‥‥記録再生処理部
１０７‥‥カード制御部
１０８‥‥グリップ回転検出部
１０９‥‥マイクロフォン
１１０‥‥音声信号処理部
１１１‥‥メモリ
１１２‥‥メモリ制御部
１１３‥‥CPU
１１４‥‥操作部
１１４a‥‥ズームツマミ
１１４b‥‥動画撮影ボタン
１１５‥‥デジタルI/F
１１６‥‥入出力部
１１７‥‥電源制御部
１１８‥‥BUS部
１１９‥‥メモリーカード
１２１‥‥外部装置
１２２‥‥外部装置
１２３‥‥バッテリ
１２４‥‥ファン制御部
１２５‥‥ファン１２６‥‥ハンドル部
１３０‥‥グリップ部
１４０‥‥側面吸気口
１４１‥‥底面吸気口
【図１】
2015171122.tif 000003
【図２】
2015171122.tif 000004
【図３】
2015171122.tif 000005
【図４】
2015171122.tif 000006
【図５】
2015171122.tif 000007
【図６】
2015171122.tif 000008